(57)【要約】      （修正有）【課題】  永久表示カレンダにおける月の日数表示を行う新たな日付表示を有する時計を提供する。【解決手段】  表示される月における日数の表示用デバイスである表示用エレメント１３を操作する第２のヨーク１１は、スプリング１２によって月用カム５に押し付けられている。前記月用カム５は、日付ホイール７により一年間で１回転する年用ホイール１０と共に回転し、前記表示用エレメント１３が表示される月の日数を表示する。【選択図】      図１
2005121657.tif 000002
【特許請求の範囲】
【請求項１】
少なくとも月用カム（５，１４）を含む年間又は永久日付表示機構を含む時計であって、この機構はまた、少なくとも一つの固定された表示器エレメントに対して動くことができる月の日数を表示するための可動部材（１３）と、そして、この可動表示器部材（１３）を前記月用カム（５，１４）に接続するための連結とを含み、月の日数を表示するための前記可動部材（１３）が、それぞれの月の間、前記固定された表示器エレメントに対して、前記月用カム（５，１４）の特有の位置を占めることを特徴とする時計。
【請求項２】
前記表示器デバイス（１３）がアナログ式のものである請求項１記載の時計。
【請求項３】
前記可動表示器部材（１３）を月用カムに接続するための連結が、駆動ヨーク（１１）と、月用カム（５，１４）に対してこの駆動ヨーク（１１）を押し付けるためのスプリング（１２）と、歯車の歯が表示器部材（１３）及び前記駆動ヨーク（１１）にそれぞれ固定される歯車装置（１１ａ，１３ａ）とを含む請求項１と２のいずれか１項に記載の時計。
【請求項４】
表示される月の長さ機能があり、かつ、前記可動表示器部材（１３）の前記駆動ヨーク（１１）と前記日付表示器（７）の前記大型駆動ヨーク（３）との各々の回転軸が同軸である、この大型の駆動ヨーク（３）の角の静止位置を決定するための前記日付表示機構が、大型の駆動ヨーク（３）と、日付表示器（７）と、前記月用カム（５，１４）に対してこの大型ヨーク（３）を押し付けるためのスプリング（６）とを含む請求項１から３のいずれか１項に記載の時計。
【発明の詳細な説明】
【技術分野】
【０００１】
本発明は、年間又は永久日付表示機構を含む時計に関する。
【０００２】
公知の年間又は永久日付表示機構は、一般的に、日付の表示に加えて、現在の月と曜日の表示を含む。太陽の周りの地球の自転周期に基づく時間の分割に関するこの情報は、時として、地球に対する、他の天体、特に月の位置に関する情報によって補足される。
【０００３】
年間又は永久日付機構は、表示される月の日数を決めるために月用カムを必ず含むけれども、これらの機構は表示される月の日数を表示する表示デバイスを有さない。しかし、この情報は、日常生活において極めて有用である。
【０００４】
ＣＨ５３８１３７は、月の日数を表示する日付機構を提案している。この機構は、ユーザーが、その月の間、いつでもディスク又はプレートを動かすことによって、その月の最後の日から次の月の第１日目にスキップする機構を設ける、実に単純な日付機構である。それゆえ、事前に修正し、事後には修正しない。これが、月の日数が表示される理由である。ユーザーは、その機構が、２８日、２９日、３０日又は３１日から、次の月の１日目に変化するための正確な位置にあるか否かを知ることができる。それゆえ、目的は、月の日数を表示することではなく、日付機構が正確な位置に置かれたか否かを示すことである。それゆえ、この機構の場合は、月の日数はユーザーによって指定されなければならない。すなわち、機構は自動的にこれをしない。実際、修正は、手動で行われ、そして、現在の月の間の、いつでも修正できるのであるから、表示された数２８、２９、３０又は３１は、変更が自動的ではないため、その月が表示された日数を有するということを意味しない。ユーザーが年５回日付を変更しなければならない従来の単純な日付機構と比較すると、この場合、ユーザーはまた３０日から３１日にディスクを動かさなければならないので、ユーザーは年１０回ディスクを日付を変更しなければならない。これに失敗すると、日付機構は３１日数の月の第３１日目を飛び越して、次の３０日数の月になるが、一方単純な日付機構においては、３１日は常に既定値によって表示され、それゆえ、修正の必要はない。
【０００５】
本発明の目的は、今日まで利用されなかったこの表示の潜在能力の使用を可能にすることである。
【０００６】
本目的に対して、本発明は請求項１の年間又は永久日付表示を含む時計を提案する。
【０００７】
本発明の本質的な特徴は、これまで年間又は永久日付表示機構に適用されなかった追加表示の表示を提供することである。
【０００８】
好ましくは、この時計の表示デバイスを動作させる手段は、この表示デバイスの表示器用の駆動ヨークと、日付機構の月用カムと、月用カムに対して駆動ヨークを押し付けるためのスプリングと、表示器エレメントと駆動ヨークとの間の結合とを含む。
【０００９】
このデバイスは、極めて少数のパーツしか含まず、それゆえ単純でありかつ信頼性が高い。
【００１０】
本発明の他の特徴は、概略的にかつ例を介して示す添付された図面、本発明の時計の一つの実施態様を参照して、以下の記述から明らかになるだろう。
【００１１】
本発明の時計のカレンダー機構は、時計の動作部分の時間ホイール１ｂによって、矢印Ｆの方向に２４時間で一回転駆動するオペレーティングホイール１を含む。このオペレーティングホイール１は、オペレーティングホイール１と同じシャフトで回転可能に取り付けられたフィンガー２を駆動するピン１ａを備える。
【００１２】
大型のヨーク３が、回転可能にシャフト４の周りに取り付けられ、そして、この大型のヨーク３を時計回り方向にこのシャフト４の周りを回転させようとするスプリング６によって、月用カム５に押し付けられている。この大型のヨーク３は、カレンダーの主要機能を動作させるのに役立つ。この目的のため、大型のヨーク３は、曜日の駆動先端３ａと、歯止め１５によって位置が特定され３１個の歯車の歯を有する日付ホイール７の第１の駆動歯止め３ｂと、日付ホイール７に固定された減少用修正カム７ａと連動する大型の歯止め３ｃとを含む。
【００１３】
この日付ホイール７は、ヨーク８がスプリング９の圧力を支える第２の減少用カム７ｂを備える。このヨーク８は、月用カム５に固定された歯止め１６によって位置が特定された年用ホイール１０を駆動する歯止め８ａを備える。この年用ホイール１０は、１２個の歯車の歯を有し、そして、日付ホイール７の各回転に対して一段階ずつ駆動され、その結果、年用ホイール１０は一年間で一回転する。
【００１４】
第２のヨーク１１は、スプリング１２によって月用カム５に押し付けられている。この第２のヨーク１１は、表示される月の日数の表示用のデバイスの表示器エレメント１３と同軸であり、シャフト１８に旋回可能に取り付けられている小歯車１３ａと係合する歯状セクタ１１ａを有する。
【００１５】
実質的に永久日付機構の全ての月用カムと同様に、月用カム５は、年用ホイール１０のシャフトを中心に位置する円弧５ａのセグメントとより直径の小さい円に接する直線部分５ｂとが交互になることによって形成される９個の角部分を含み、それにより表示される月が３０日又は３１日を有するか否かにより、これらの円弧５ａのセグメントとこれらの直線部分５ｂとが、交互に、第２のヨークの対応する２つの位置を決め、そして、その結果、表示器エレメント１３の２つの対応する角の位置を決める。
【００１６】
２月の月の場合、カム５は、年用ホイール１０の下に配置されたサテライト小歯車に固定され、この年用ホイール１０と同軸に固定された小歯車と係合するカム１４によって置き換えられる。このカム１４は、２９日の日数の月として２月を表示するため、９０°を超えて伸び、大きな直径を持つセグメントと、２８日の日数の月として２月を表示するため、２７０°を超えて伸び、より小さな直径をもつもう一方のセグメントとの２つのセグメントを有する。より小さな直径を持つ部分は、２月の月が２８日数を有する各年に対してヨーク３と１１のそれぞれの末端３ｅ、１１ｂと接するように、このカム１４はサテライト小歯車のシャフトの上に合わせられる。一方、このカム１４のより大きな直径の部分は、２月の月が２９日数を有する閏年だけ、ヨーク３と１１の前記末端と接する。
【００１７】
図２から５は、表示される月における日数の表示用デバイスの表示器エレメント１３によって占有され得る４つの状態を示す。これらの角の位置の各々は、表示される月における日数に相当する数字に対応する。
【００１８】
オペレーションホイール１のそれぞれの回転で、フィンガー２は大型のヨーク３のピン３ｆを駆動する。このピン３ｆの位置は、年用カム５又は２月用カム１４に対して支えるこの大型のヨーク３の初期位置に従って変動する。大型のヨーク３の振幅は日数が増えると減少する。その結果として、３１日数より少ない月末で、３０日数で、大型の歯止め３ｃが、修正カム７ａの解放部分に入る。その結果、ヨーク３がオペレーティングホイール１のフィンガー２によって駆動されると、日付表示器は３０日から次月の１日に直接動く。その月が２９日数を有する場合、ヨーク３の振幅は更に大きくなり、そして、大型歯止めは２９日数の修正カム７ａの解放部分に入り、日付表示器は２９日から１日に直接動く。その月が２８日数であるときも、同様に適用する。月の日数に関わりなく、大型歯の止め３はその月が３１、３０、２９又は２８日数を有するか否かにより、即座に１、２、３又は４段階を通して日付ホイールを駆動することによって、日付表示器を次の月の最初である数１に戻す。
【００１９】
大型の歯止め３ｃによって各月の末日での日付ホイールの各々の動作の終わりで、ヨーク８は、カム７ｂの解放部分に落ち込み、こうして、１段階ずつ年用ホイールを駆動する。ヨーク３は、次の月の日数が変化すると他の位置を占め、同様に、月の日数の表示用デバイスの第２のヨーク１１を適用し、表示器エレメント１３を表示される月の日数に対応する数に位置決めする。
【図面の簡単な説明】
【００２０】
【図１】この発明の永久カレンダー機構の平面図である。
【図２】表示される月の日数３１日を表示するためデバイスを動作させる手段を示す、図１の機構の上からの局部図である。
【図３】表示される月の日数３０日を表示するためデバイスを動作させる手段を示す、図１の機構の上からの局部図である。
【図４】表示される月の日数２９日を表示するためデバイスを動作させる手段を示す、図１の機構の上からの局部図である。
【図５】表示される月の日数２８日を表示するためデバイスを動作させる手段を示す、図１の機構の上からの局部図である。
【図１】
2005121657.tif 000003
【図２】
2005121657.tif 000004
【図３】
2005121657.tif 000005
【図４】
2005121657.tif 000006
【図５】
2005121657.tif 000007
【外国語明細書】
1. Title of Invention
2005121657.tif 000008
2. Detailed Description of Invention
2005121657.tif 000009
2005121657.tif 000010
2005121657.tif 000011
2005121657.tif 000012
2005121657.tif 000013
2005121657.tif 000014
3. Brief Description of Drawings
2005121657.tif 000015
1.Claims
2005121657.tif 000016
1. Abstract
2005121657.tif 000017
2. Representative Drawing
Fig.1
2005121657.tif 000018
2005121657.tif 000019